(57)【特許請求の範囲】
【請求項１】
セルから送信された少なくとも１つの下りリンク参照信号を受信する受信回路と、
前記セルからの前記下りリンク参照信号の品質を測定する測定回路と、
前記下りリンク参照信号の測定された前記品質に基づいて、前記セルを形成する基地局におけるハンドオーバ制御に用いられるメジャメントレポートを前記セルに送信する必要があるかどうかを判定し、前記メジャメントレポートの送信が必要であるとの判定に基づいて前記メジャメントレポートを生成する制御部と、
生成された前記メジャメントレポートをセルに送信する送信回路と、
を具備し、
前記下りリンク参照信号には少なくともビームフォーミングされたＣＳＩ−ＲＳが含まれることを特徴とするユーザ装置。
【請求項２】
前記受信回路は、複数の下り参照信号及び信号グループ情報を含む参照信号グループを受信し、
前記測定回路は、前記参照信号グループ毎に前記下り参照信号の受信品質を測定し、
前記制御部は、前記セルから構成される前記参照信号グループの各々に対する前記下りリンク参照信号の受信品質の測定結果に基づいて、前記メジャメントレポートを生成し、
前記送信回路は、各参照信号グループについてメジャメントレポートを送信する、
請求項１記載のユーザ装置。
【請求項３】
前記ユーザ装置は、少なくとも１つの受信可能な下りリンク参照信号を自律的に探索し、前記測定回路は、前記少なくとも１つの下りリンク参照信号の受信品質を測定する、請求項１記載のユーザ装置。
【請求項４】
前記測定回路は、前記下り参照信号に含まれる少なくとも１つの参照信号の受信品質を測定する請求項１記載のユーザ装置。
【請求項５】
前記制御部は、前記参照信号グループ内の各参照信号についてメジャメントレポートの必要性を判定する請求項２記載のユーザ装置。
【請求項６】
前記送信回路は、前記参照信号の参照信号ＩＤを含むメジャメントレポートを送信する請求項４記載のユーザ装置。
【請求項７】
前記送信回路は、前記参照信号グループの参照信号グループＩＤを含むメジャメントレポートを送信する請求項４記載のユーザ装置。
【請求項８】
前記送信回路は、セルの下りリンク参照信号の参照信号グループＩＤ及び参照信号ＩＤを含むメジャメントレポートを送信する請求項４記載のユーザ装置。
【請求項９】
前記送信回路は、前記セルからの前記下りリンク参照信号の受信品質を含むメジャメントレポートを送信する請求項４記載のユーザ装置。
【請求項１０】
前記受信回路は、前記セルから送信された複数の下りリンク参照信号を受信し、
前記送信回路は、前記セルからの前記下りリンク参照信号の最高受信品質を含むメジャメントレポートを送信する、請求項４記載のユーザ装置。
【請求項１１】
前記送信回路は、前記測定回路によって測定された各参照信号グループの間の参照信号を含むメジャメントレポートを送信する請求項４記載のユーザ装置。
【請求項１２】
前記送信回路は、前記測定回路によって測定された各参照信号グループの間での受信品質の最良Ｍ値を含む測定レポートを送信する請求項４記載のユーザ装置。
【発明の詳細な説明】
【技術分野】
【０００１】
（関連出願の相互参照）
本出願は、２０１５年９月２４日に出願された「ＲＡＤＩＯ  ＢＡＳＥ  ＳＴＡＴＩＯＮ，  ＡＮＤ  ＵＳＥＲ  ＥＱＵＰＭＥＮＴ」という名称の、米国仮出願第６２／２３２，０５８号の優先権を主張し、その内容のすべてを参照によりここに組み込むものとする。
【０００２】
本開示は、無線通信技術に関し、特に、３次元ＭＩＭＯ（Ｍｕｌｔｉｐｌｅ  Ｉｎｐｕｔ  Ｍｕｌｔｉｐｌｅ  Ｏｕｔｐｕｔ）技術の無線基地局、ユーザ装置及び無線通信システムに関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ標準規格（以下、「標準規格」という）の特にＲｅｌｅａｓｅ８〜１２には、基地局内に横方向に並べて配置された複数のアンテナ素子を用いた水平ビームフォーミング技術が記載されている。
【０００４】
標準規格のリリース１３では、基地局が２次元に配列された複数のアンテナ素子を備えた３次元ＭＩＭＯ（３Ｄ‐ＭＩＭＯ）に関する研究が進行中である。このような構成は、３Ｄビーム、すなわち、垂直及び水平領域で成形／制御され得るビームを形成するために使用され得る。垂直ビーム（仰角方向）及び水平ビーム（方位角方向）の形成は、システム特性の改善に対する期待を高めている。
【０００５】
標準規格のリリース１２又はそれ以前のリリースでは、閉ループプリコーディングが、水平方向のチャネル状態情報（ＣＳＩ）及び交差偏波エレメントのＣＳＩのフィードバックにより実施され、それはＭＩＭＯ基地局に提供される。ＣＳＩフィードバックのオーバーヘッドを小さく抑えるために、基地局装置とユーザ装置との間で、複数のプリコーディング行列（線形フィルタ）が書き込まれたコードブックが予め共有されている。ユーザ装置は、コードブックから所望のプリコーディング行列を選択し、選択した行列番号をＣＱＩと共に基地局装置に通知する。そして、基地局装置は、フィードバック情報に基づいて送信データのプリコーディングを行い、プリコーディングされた送信データのＭＩＭＯ送信を行う。
【０００６】
ここで、端末が現在接続しているセル（サービングセル、以下、カレントセルとも称する）よりも受信環境が良い隣接セルが存在する場合には、ハンドオーバ（以下、ＨＯと略す）技術が使用され、それによって、端末が接続されているセルが現在のセルから別のセル、例えば隣接するセルに切り替えられる。
【０００７】
端末は、セル参照信号（セル固有参照信号：ＣＲＳ又はＣＳＩ‐ＲＳ）を用いて参照信号受信電力（ＲＳＲＰ）を測定し、ＲＳＲＰに基づいて、ハンドオーバターゲットセルの物理下りリンク共用チャネル（ＰＤＳＣＨ）の受信品質を得る。
【０００８】
図６は、ＣＲＳベースのハンドオーバを示す図である。ここで、ＵＥ１５１は、基地局ｅＮＢ  Ａ及びｅＮＢ  Ｂと無線通信を行うことができるものと仮定する。またこのケースでは、ＵＥ１５１は、ｅＮＢ  Ａのビームａ１を適用して基地局ｅＮＢ  Ａに接続する方が良いと仮定する。しかしながら、ＵＥ１５１が従来のＣＲＳベースのセル選択を行う場合、ＵＥ１５１は３Ｄ‐ＭＩＭＯの３Ｄビームフォーミングを考慮しないため、ｅＮＢ  Ｂに接続する可能性がある。上述したように、リリース１３の３Ｄ‐ＭＩＭＯにおける前述の３Ｄビームフォーミングを考慮しても、従来のＣＲＳベースのセル選択は適切なセル選択に失敗することがある。同様の失敗は、標準規格のリリース１２のＣＳＩ−ＲＳベースのセル選択を考慮した場合でも発生し得る。
【０００９】
背景技術として、下記３つの文献の全内容、特にＣＳＩ−ＲＳＲＰの定義及びメジャメントレポートトリガの詳細に関しては、引用によりその全体を本明細書に組み込む。
【先行技術文献】
【非特許文献】
【００１０】
【非特許文献１】ＴＳ３６．２１４  （Ｓｅｃ．５．１．２０）  “３ＧＰＰ  ＴＳ  ３６．２１４  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ，；  Ｍｅａｓｕｒｅｍｅｎｔｓ”  ：  Ｄｅｆｉｎｉｔｉｏｎ  ｏｆ  ＣＳＩ−ＲＳＲＰ，
【非特許文献２】ＴＳ３６．３３１  （Ｓｅｃ．５．５．４）  “３ＧＰＰ  ＴＳ  ３６．３３１  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ”：  Ｍｅａｓｕｒｅｍｅｎｔ  ｒｅｐｏｒｔ  ｔｒｉｇｇｅｒｉｎｇ
【非特許文献３】Ｓｔｅｆａｎｉａ，  ｅｔ  ａ１．，  ＬＴＥ  −  Ｔｈｅ  ＵＭＴＳ  Ｌｏｎｇ  Ｔｅｒｍ  Ｅｖｏｌｕｔｉｏｎ  Ｆｒｏｍ  ｔｈｅｏｒｙ  ｔｏ  ｐｒａｃｔｉｃｅ  （Ｓｅｃ．３．２，５．２）：  Ｍｅａｓｕｒｅｍｅｎｔ  ｒｅｐｏｒｔ  ｔｒｉｇｇｅｒｉｎｇ
【発明の概要】
【課題を解決するための手段】
【００１１】
本発明の一以上の実施形態に係るユーザ装置は、サービングセルから送信された少なくとも１つの下りリンク参照信号を受信する受信部と、前記セルからの前記下りリンク参照信号の品質を測定する測定部と、前記下りリンク参照信号の測定された前記品質に基づいて、メジャメントレポートを前記セルに送信する必要があるかどうかを判定し、前記メジャメントレポートの送信が必要であるとの判定に基づいて前記メジャメントレポートを生成する制御部と、生成された前記メジャメントレポートをセルに送信する送信部と、を具備する。
【００１２】
本発明の一以上の実施形態に係る無線基地局は、少なくとも１次元的に配置されたアンテナと、チャネル測定のための参照信号を生成する信号生成部と、アンテナの一部又は全部を使用する構成に応じて、参照信号の送信を制御する構成制御部であって、前記構成が水平関係、垂直関係及び交差偏波関係のすべて又はいずれかを含む構成制御部と、ユーザ装置からのメジャメントレポートを受信した場合にハンドオーバを制御するハンドオーバ制御部と、前記ハンドオーバ制御部からの指示に基づいて制御信号を生成する制御信号生成部と、前記構成制御部からの出力に基づく前記構成に従って前記参照信号を送信する送信部と、を具備する。
【図面の簡単な説明】
【００１３】
【図１】１つ以上の実施形態の無線通信システムを示す概略図である。
【図２】１つ以上の実施形態のユーザ装置ＵＥを示すブロック図である。
【図３】１つ以上の実施形態におけるメジャメントレポートトリガ（ＭＲＴ）制御部１２９の動作を示すフローチャートである。
【図４】無線基地局の１つ以上の実施形態を示すブロック図である。
【図５】１つ以上の実施形態におけるハンドオーバを示すシーケンス図である。
【図６】３Ｄ  ＭＩＭＯ技術のRS送信を示す概略図である。
【発明を実施するための形態】
【００１４】
実施形態を、図面を参照して説明する。ここで参照する各図において、同一の構成要素には同一の符号を付し、重複する説明は基本的に省略する。すべての図面は、それぞれの実施例を例示するためのみに示される。図面には寸法の比率は１つ以上の実施形態に限定を課さない。このため、具体的な寸法等は以下の説明を参酌して解釈すべきである。また、図面には、図面間で寸法の関係や比率が異なる部分が含まれる場合がある。
【００１５】
（ビームフォーミング技術）
図１は、１つ以上の実施形態の無線通信システムを示す概略図である。無線通信システム１は、無線基地局１０、ユーザ装置１５２、及びユーザ装置１５３を含む。例示された実施形態は、無線基地局１０からのユーザ装置１５２及びユーザ装置１５３への送信信号が空間多重されるマルチユーザＭＩＭＯ（ＭＵ‐ＭＩＭＯ）を採用している。しかしながら、本発明はＭＵ‐ＭＩＭＯシステムに限定されない。
【００１６】
無線基地局１０は、複数のアンテナが垂直方向及び水平方向に２次元的に配列されたアンテナアレイ１１を具備している。無線基地局１０は、アンテナアレイ１１に含まれるアンテナの一部又は全部を用いて、ユーザ装置１５２、１５３がチャネル情報を推定するために使用する参照信号（ＲＳ）を送信する（矢印（１））。参照信号は特定のものに限定されない。ＣＳＩ‐ＲＳ、ＣＲＳ（セル固有参照信号）、ＤＭ‐ＲＳ（復調参照信号）、ＤＲＳ（ディスカバリ参照信号）の他に、既存の／新しいＲＳ又は他の物理チャネル及び／又は信号を使用してもよい。記載された１つ又は複数の実施形態は、２次元アンテナを使用するが、１つ又は複数の実施形態は、１次元又は３次元アンテナを使用してもよい。
【００１７】
各ユーザ装置１５２、１５３は、受信したリファレンス信号から推定されたチャネル状態情報（ＣＳＩ）を無線基地局１０にフィードバックする（矢印（２））。
【００１８】
無線基地局１０は、ユーザ装置１５２とユーザ装置１５３との間の相互干渉を抑制するための送信プリコーディングウェイトを生成し、各ユーザ装置１５２、１５３宛のデータ信号及びチャネル推定用の参照信号を送信ビームフォーミングし、それらを送信する（矢印（３））。
【００１９】
無線基地局１０は、各ユーザ装置１５２、１５３からフィードバックされたＣＳＩに基づいて、ビームフォーミングのためのプリコーディングベクトルを計算し、計算されたプリコーディングベクトルを各ユーザ装置１５２、１５３に通知することができる。これに代えて又は加えて、各ユーザ装置1５２、１５３は、推定されたチャネル情報（チャネル行列）からプリコーディングベクトルを計算し、無線基地局１０にフィードバックすることができる。あるいは、無線基地局１０及び各ユーザ装置１５２、１５３は、共通コードブック（プリコーディング行列グループ）を保持してもよく、各ユーザ装置１５２、１５３は、推定されたチャネル行列に基づいて、所望のプリコーディングベクトルを選択してもよい。
【００２０】
日本特許出願公開第２０１４‐２０４３０５号公報及び国際公開第２０１４／１６２８０５号公報の内容、特に３Ｄ‐ＭＩＭＯ技術の詳細は、その全体が参照により本明細書に組み込まれる。
【００２１】
図２は、１つ又は複数の実施形態のユーザ装置ＵＥを示すブロック図である。ユーザ装置は、複数のアンテナ１２１‐１〜１２１‐Ｍ、複数のデュプレクサ１２２‐１〜１２２‐Ｍ、及び複数のＲＦ受信回路１２４‐１〜１２４‐Ｍを介して、無線基地局１０から参照信号を受信する。制御信号復調部１２５は、ＲＦ受信回路１２４‐１〜１２４‐Ｍから受信した各種制御信号を復調する。ここで、制御信号復調部１２５は、復調された各種制御信号の中に存在する参照信号に基づいてチャネル推定を行う。プリコーディングウェイト選択部１２７は、チャネル推定値に基づいてプリコーディングウェイトを選択する。チャネル品質測定回路１２６（チャネル品質測定部）は、受信した参照信号に基づいてチャネル品質を測定する。
【００２２】
チャネル品質の測定結果とプリコーディングウェイトの選択結果が、フィードバック制御信号生成部１２８に入力される。フィードバック制御信号生成部１２８は、無線基地局（図示せず）に送信するフィードバック信号を生成する。フィードバック信号には、水平チャネル情報、垂直チャネル情報及び交差偏波チャネル情報を含むプリコーディング行列Ｗが含まれていてもよい。フィードバック信号には、既存の２Ｄ‐ＭＩＭＯコードブックを垂直方向に拡張することによって得られる行列Ｗを含んでもよいし、又は既存の２Ｄ‐ＭＩＭＯコードブックのみを含んでもよい。フィードバック信号には、ビームインデックス（ＢＩ）ＲＩ及びＣＱＩのような他のＣＳＩを含んでもよい。
【００２３】
ユーザ参照信号及びユーザデータ信号は、プリコーディング部１３１によってプリコードされ、マルチプレクサ（ＭＵＸ）１３２に入力される。マルチプレクサ１３２は、ユーザ参照信号、ユーザデータ信号、及びフィードバック信号を互いに多重化する。多重化された信号は、ＲＦ送信回路１２３‐１〜１２３‐Ｍ及びデュプレクサ1２２‐１〜１２２‐Ｍを介してアンテナ１２１‐１〜１２１‐Ｍから送信される。
【００２４】
ここで、ＭＲＴ制御部１２９は、制御信号復調部１２５により復調された制御信号を受信し、一定の条件が満たされれば、メジャメントレポート（ＭＲ）を生成する。生成されたメジャメントレポートに基づいて、フィードバック制御信号生成部１２８は、無線基地局（図示せず）に送信されるフィードバック信号を生成する。
【００２５】
（ＵＥのメジャメントレポート）
図３は、１つ又は複数の実施形態におけるＭＲＴ制御部１２９の動作を示すフローチャートである。まず、ＭＲＴ制御部１２９は、チャネル状態情報−参照信号受信電力（ＣＳＩ‐ＲＳＲＰ）測定及びメジャメントレポートトリガリング（ＭＲＴ）を設定する（ステップＳ１０１）。情報の設定には、ＣＳＩ‐ＲＳＲＰ測定の範囲及び手順の設定が含まれる。既存の構成を使用する場合は、情報の設定を省略することができる。代替的又は追加的に、設定情報は、ｅＮＢから受信されてもよい。ＭＲＴ制御部１２９は、ステップＳ１０１で設定された条件に従って、複数のＣＳＩ‐ＲＳＲＰを測定してもよい（ステップＳ１０２）。ＭＲＴ制御部１２９による測定は、図２の制御信号復調部１２５によって復調された制御信号のうちの関連する信号に対して実行される。ＭＲＴ制御部１２９は、ステップＳ１０２で測定されたＣＳＩ‐ＲＳＲＰに基づいてメジャメントレポート（ＭＲ）を行うか否かを判断する（ステップＳ１０３）。ＭＲＴ制御部１２９は、ＭＲを行うと判断すると、ＭＲを生成する（ステップＳ１０４）。一方、ＭＲＴ制御部１２９がＭＲを行わないと判断すると、ステップＳ１０２に戻る。
【００２６】
（ステップＳ１０３の詳細説明）
次に、メジャメントレポートが必要か否かを判断するステップＳ１０３について説明する。１つ以上の実施形態において、ＵＥは、以下の条件のいずれかが満たされる場合、ｅＮＢへのメジャメントレポートが必要であると判断する。このようにして、ＵＥはｅＮＢへのＭＲを作成する。ＭＲを受信したソースｅＮｏｄｅＢ（Ｓ−ｅＮＢ）は、ＵＥがハンドオーバを行うターゲットｅＮＢ（Ｔ−ｅＮＢ）に対してＨＯリクエストを作成する。
【００２７】
１つ以上の実施形態では、ＭＲが必要であるとの判断は、以下のいずれかの場合に行われる。ＭＲは、以下の条件のいずれか１つが満たされた場合、又は以下の条件のいずれか２つ以上が満たされた場合に、必要と判断され得る。
【００２８】
・ＣＲＳ（ＥＵＴＲＡＮ内のＨＯ）
事象Ａ１：サービングセルの状態が閾値より良くなった場合、
事象Ａ２：サービングセルの状態が閾値より悪くなった場合、
事象Ａ３：隣接セルの状態がサービングセルよりも良くなった場合、
事象Ａ４：隣接セルの状態がサービングセルよりも悪くなった場合、及び
事象Ａ５：サービングセルの状態が閾値（Ｔｈｒｅｓ１）より悪くなり、隣接セルの状態が閾値（Ｔｈｒｅｓ２）よりも良くなった場合。
【００２９】
・ＣＲＳ（ＲＡＴ間のＨＯ）
事象Ｂ１：ＲＡＴ間の隣接セルの状態が閾値より良くなった場合、及び
事象Ｂ２：サービングセルの状態が閾値（Ｔｈｒｅｓ１）より悪くなり、ＲＡＴ間の隣接セルの状態が閾値（Ｔｈｒｅｓ２）より良くなった場合。
【００３０】
・ＣＲＩ−ＲＳ
事象Ｃ１：ＣＳＩ‐ＲＳリソースの状態が閾値より良くなった場合、及び
事象Ｃ２：ＣＳＩ‐ＲＳリソースのオフセットパラメータが、参照ＣＳＩ‐ＲＳリソースのオフセットパラメータよりも良くなる場合。
【００３１】
次に、各ビームグループ又は参照信号グループについてＭＲを作成する方法について説明する。例えば、ビームグループのＭＲは、セルＩＤに基づいて作成することができる。ここでは、ビームグループについて説明する。図６において、基地局ｅＮＢ  Ａは、参照信号又はビームａ１、ａ２、ａ３及びａ４を放射する。また、基地局ｅＮＢ  Ｂは、参照信号又はビームｂ１、ｂ２、ｂ３及びｂ４を放射する。この場合、参照信号又はビームのグループａ１、ａ２、ａ３、及びａ４は、ビームグループ又は参照信号グループと呼ばれてもよい。また、参照信号又はビームグループｂ１、ｂ２、ｂ３及びｂ４をビームグループと呼んでもよい。ビームグループ間で異なるＭＲを生成してシグナリングされる。以下の説明で、「ビーム」という用語が、より一般的には、参照信号を指す場合もあることが理解されるであろう。
【００３２】
１）前述のＨＯ関連事象Ａ１〜Ａ５、Ｂ２、Ｃ１、及びＣ２について、条件は、ビームグループにおいて最良又は最も好ましい条件値に基づいて決定される。例えば図５において、ａ１がグループＡにおいて最も高いＲＳＲＰを有し、かつｂ１がグループＢにおいて最も高いＲＳＲＰを有する状態において、ＭＲＴはａ１及びｂ１のＲＳＲＰに基づいて決定される。
２）前述のＨＯ関連事象Ａ１〜Ａ５、Ｂ２、Ｃ１、及びＣ２について、条件は、ビームグループにおける平均条件値に基づいて決定される。ＭＲＴは、グループＡの平均ＲＳＲＰ及びグループＢの平均ＲＳＲＰに基づいて決定される。
３）前述のＨＯ関連事象Ａ１〜Ａ５、Ｂ２、Ｃ１、及びＣ２について、条件は、ビームグループにおけるＢｅｓｔ‐Ｍ値に基づいて決定される。Ｂｅｓｔ‐Ｍ値は、最良のＭ個の値の平均値として定義するか、又はＭ番目の最良値として定義することができる。Ｍの数値は、ｅＮＢからシグナリングされてもよいし、図３のステップＳ１０１で設定された測定回数に基づいて暗黙的に導出されてもよい。
【００３３】
前述の実施例の１つ又は複数の代替又は追加の実施形態では、ＴＳ３６．３３１の§５．５．４．２〜１０で定義されているＭｓ、Ｍｐ、Ｍｎ、Ｍｃｒ、及びＭｒｅｆのいずれかの計算方法が規定されてもよい。例えば、事象Ａ１は、Ｍｓ−Ｈｙｓ＞Ｔｈｒｅｓｈなどとして規定される。この場合、ビームグループの最良値を得るのに使用するためにＭｓが規定され得る。
【００３４】
また、ａ１及びａ２は同一のｅＮＢ  Ａから放射されるビームであるが、ＭＲは、プリコーダの決定に関してａ１からａ２に切り替えることを示す切替情報を含むことができる。言い換えると、セル内最適ビーム切り替えはＭＲＴとみなされてもよく、ＭＲはセル内最適ビーム切り替えに応じて作成され得る。この場合のＭＲＴについては、トリガ判定はビーム毎に行ってもよい。
【００３５】
（ステップＳ１０４の詳細説明）
ＵＥは、上記ステップＳ１０３において、ＵＥがＭＲを作成することを決定すると、ＭＲを作成する。メジャメントレポートの特性の観点から、メジャメントレポートは時間と周波数で平均化することが望ましい。換言すれば、ピンポンハンドオーバを回避するために、メジャメントレポートは瞬間的な変動が除去されていることが望ましい。このため、ＭＲを作成する場合には、以下の構成が好ましい。
１）ビームフォーミングされたＣＳＩ‐ＲＳ（ＣＲＳ）のメジャメントレポートにＬ３フィルタリングを適用する方法、及び、
２）ビームフォーミングされたＣＳＩ‐ＲＳ（ＣＲＳ）のメジャメントレポートにタイム・トゥ・トリガ（ｔｉｍｅ−ｔｏ−ｔｒｉｇｇｅｒ）とヒステリシスを適用する方法。
【００３６】
ここで、Ｌ３フィルタリングは、移動端末が高速フェージングの影響を除去するための忘却係数を用いた時間平均処理であり、以下の式で表される。
Ｆｎ＝（１−α）Ｆｎ−１＋αＭｎ
Ｍｎ：測定結果
Ｆｎ：フィルタリングされ、更新された測定結果
【００３７】
そして、タイム・トゥ・トリガは、セル切り替えの閾値を超えた後に、時間的余裕を持たせてセル切り替えを行う技術である。
【００３８】
一方、ヒステリシスは、ＨＯリクエストを送信する場合に端末が使用するマージンである。例えば、ヒステリシスＨｙｓは、イベントＡ３の入力条件に対するマージンとして提供される。このヒステリシスにより、セル境界のピンポンを避けることができる。
Ｍｎ＋Ｏｆｎ＋Ｏｃｎ−Ｈｙｓ＞Ｍｓ＋Ｏｆｓ＋Ｏｃｓ＋Ｏｆｆ、
Ｍｎ、Ｍｓ：測定結果
Ｏｆｎ、Ｏｆｓ：周波数固有のオフセット
Ｏｃｎ、Ｏｃｓ：セル固有のオフセット
Ｏｆｆ：このイベントのオフセットパラメータ
【００３９】
ビームフォーミングされたＣＳＩ‐ＲＳ（ＣＲＳ）はビーム幅が狭いため、ＲＳＲＰ値の瞬間的な変動が変化する（増加する）可能性がある。例えば、３Ｄ  ＭＩＭＯを採用するＵＥと３Ｄ  ＭＩＭＯを採用しないＵＥとでは、適切なハンドオーバ関連パラメータ（ヒステリシス、時間忘却係数（Ｌ３フィルタリング値）、及びタイム・トゥ・トリガ値）が異なる可能性がある。セル間ビーム切り替えの場合、特に、上記のパラメータは専用に設定され得る。たとえば、次のようなものがある。
１）ハンドオーバ関連パラメータが、各ＵＥに対して設定される（仮想ヒステリシスなど）、及び、
２）ｅＮＢは、ハンドオーバ関連パラメータごとに複数の候補をセル固有に決定し、各ＵＥに決定した候補を通知する。例えば、前者は報知情報により通知され、後者はＲＲＣにより通知される。
【００４０】
一方、既存のＲＳＲＰ測定方法と同様の計算方法を用いることもできる。この場合、既存のＲＳＲＰ測定方法で使用されるパラメータは、前述のＲＳＲＰ測定パラメータとしても使用される。これにより、シグナリングの削減が可能になる。
【００４１】
（報告される値）
ＭＲに含まれる情報は、次のような形式になる。
１）例えば図６の例における「ａ」を報告するような形式で、セルＩＤを報告する。
２）例えば図６の例における「１」を報告するような形式で、ＲＳインデックス（ビーム番号又は参照信号番号若しくはＩＤなど）を報告する。
３）例えば図６の例における「ａ１」を報告するような形式で、セルＩＤ及びビーム番号を報告する。この場合、報告された値がどのセルＩＤ及びビーム番号を示しているかを識別するためにフラグを使用してもよい。あるいは、上記２つの値、すなわちセルＩＤとビーム番号とを合わせた値を単一のインデックスとして通知してもよい。
４）例えば最も高いＲＳＲＰを報告するような形式で受信品質（例えばＲＳＲＰ）を報告する。この場合、各セルの最も高いＲＳＲＰを報告してもよい。最も高いＭ個のＲＳＲＰは、Ｂｅｓｔ‐Ｍのように報告してもよい。最も高いＭ個のＲＳＲＰの平均値が報告してもよい。さもなければ、Ｍ番目の最良のＲＳＲＰが報告してもよい。ここで、Ｍ個のＲＳＲＰ全てが必ずしも必要ではない。例えば、報告されるＲＳＲＰの数は、Ｍよりも小さく設定されてもよい。例えば、最良のＭ個のセルのビーム番号及び最良の１個（単一）のＲＳＲＰが報告されてもよい。あるいは、すべてのＲＳＲＰが報告されてもよい。
５）上記の候補の組み合わせを報告する。例えば、セルＩＤ、ビーム番号（又は参照信号番号若しくはＩＤ）及びＲＳＲＰを組み合わせて報告してもよい。
６）フィードバックのオーバーヘッドを低減するためにアンカー値に対する差分値を用いて、受信品質（例えばＲＳＲＰ）を報告する。アンカーは、プリコーディングされていないＣＲＳとして報告され、他のＲＳＲＰは、差分値を用いて報告されてもよい。アンカーは、報告されるＲＳＲＰの平均値又は最大値（若しくは最小値）であってもよい。
【００４２】
報告される値は単一の値に限定されるべきではない。報告される値には、複数の値が含まれてもよい。例えば、ＵＥからのフィードバック信号は、受信品質が最も高い３つのセルの３つのセルＩＤを含むことができる。
【００４３】
ここで、セル−ビーム数及び／又はＲＳＲＰ値の上述の報告は、既存のメジャメントレポートのメカニズムを使用することによって行ってもよい。例えば、上記のビーム番号を既存のメジャメントレポートに追加して通知してもよい。同様に、上記の報告はＣＳＩフィードバックとして通知されてもよい。上記のセル−ビーム番号及びＲＳＲＰ値の一部又は全部は、周期的又は非周期的なＣＳＩ報告として通知されてもよい。同様に、上記報告は、メジャメントレポート又はＣＳＩ報告以外の新しい報告として通知されてもよい。
【００４４】
図４は、無線基地局の実施形態を示すブロック図である。無線基地局１０は、２次元的に配置された複数のアンテナ２１１−１〜２１１−Ｎ並びに、アンテナの数に対応する無線周波数（ＲＦ）送信回路２１６−１〜２１６−Ｎ及び無線周波数（ＲＦ）受信回路２１７−１〜２１７−Ｎを具備する。
【００４５】
参照信号生成部２１３は、チャンネル測定のための参照信号を生成する。プリコーディングウェイト生成部２１９は、アンテナ２１１−１〜２１１−Ｎ及びＲＦ受信回路２１７−１〜２１７−Ｎを介して受信したフィードバック情報に基づいてプリコーディングウェイトを生成する。プリコーディング部２１４は、生成されたプリコーディングウェイトを用いて参照信号及びデータ信号をプリコーディングする。プリコーディング部２１４に入力されるデータ信号は、図示及び記述されていないが、シリアル／パラレル変換、チャンネルコーディング、変調などによって既に処理されていることは当業者であれば理解できることである。
【００４６】
マルチプレクサ（ＭＵＸ）２１５は、プリコーディングされた参照信号とデータ信号を多重化する。ＲＳ構成制御部２１８は、チャネル推定に用いる参照信号の送信構成（ＲＳ構成）の設定や切り替えを制御する。ＲＳ構成制御部２１８は、複数の異なるＲＳ構成のリソースへのマッピングを制御する。あるいは、ＲＳ構成制御部２１８は、ＲＳ構成のセットアップタイミング又はオーバーライドタイミング（ｏｖｅｒｒｉｄｅ  ｔｉｍｉｎｇｓ）を制御することができる。この制御の下では、参照信号は、使用されるＲＳ構成に対応するシーケンスで多重化される。多重化された信号は、ＲＦ送信回路２１６−１〜２１６−Ｎとデュプレクサ２１２−１〜２１２−Ｎを介して、アンテナ２１１−１〜２１１−Ｎから送信される。
【００４７】
ＵＥ（図示せず）からのフィードバック信号は、アンテナ２１１−１〜２１１−Ｎ、デュプレクサ２１２−１〜２１２−Ｎ及びＲＦ受信回路２１７−１〜２１７−Ｎを介して受信され、フィードバック制御情報復調部２３１で復調される。復調結果は、プリコーディングウェイト生成部２１９に提供され、プリコーディングウェイト生成部２１９は、フィードバック情報に従ってプリコーディングウェイトを生成する。なお、ここでは、チャネル推定のための参照信号に基づくチャネル推定（チャネル推定部２３２の動作）、データ信号の復調（データチャネル信号復調部２３３の動作）、及びデータ信号の復号についての説明は省略する。
【００４８】
ここで、ＲＳ制御部２２１は、チャネル測定のための参照信号を制御する。１つ以上の実施形態では、ＲＳ制御部２２１は、ＢＦ  ＣＳＩ−ＲＳ又はＢＦ−ＣＲＳを制御し、どの参照信号を生成するかを示す指示を参照信号発生部２１３に与える。参照信号生成部２１３は、ＲＳ制御部２２１からの指示に基づいて参照信号を生成し、生成した参照信号をプリコーディング部２１４に送信する。以下、参照信号の制御について説明する。
【００４９】
まず、ビームフォーミングされたＣＳＩ‐ＲＳ（ＢＦ  ＣＳＩ−ＲＳ）に基づいてセル選択（ビーム選択）を行う場合について説明する。ＵＥは、下りリンク参照信号に含まれるＣＳＩ‐ＲＳを基地局から受信する。この実施形態では、ＵＥは、ビームフォーミングされたＣＳＩ‐ＲＳを受信する。
【００５０】
（ＢＦ  ＣＳＩ‐ＲＳの数）
１つのセルが１つのＢＦ  ＣＳＩ‐ＲＳを送信する場合には、例えば、ＢＦ  ＣＳＩ‐ＲＳがデータ信号に適用される複数のビームをカバーするようにＢＦ  ＣＳＩ‐ＲＳを形成する方法が含まれる。以下に示すものは、１つのセルが複数のＢＦ  ＣＳＩ‐ＲＳを送信するシステムに適用してもよいし、そのシステムと組み合わせてもよい。
【００５１】
あるいは、単一のセルが複数のＢＦ  ＣＳＩ‐ＲＳを送信する場合には、例えば、データ信号に適用される複数のビームと同じ（又は類似の）ビームを適用する方法が含まれる。データ信号に適用可能なビームの数とＢＦ  ＣＳＩ‐ＲＳに適用されるビームの数は、互いに異なっていてもよい。例えば、ＲＳのオーバーヘッドを減らすなどの目的で、ハンドオーバターゲットのＢＦ  ＣＳＩ‐ＲＳのビーム数を減らしてもよい。単一のセルが複数のＢＦ  ＣＳＩ‐ＲＳを送信する場合は、セルは、ＢＦ  ＣＳＩ‐ＲＳの数をターゲットＵＥに送信してもよい。例えば、セルは、ＢＦ  ＣＳＩ‐ＲＳの数をＲＲＣ信号として送信してもよい。また、セルは、同期信号（ＳＳ）の解読された信号に基づいた結果としてＢＦ  ＣＳＩ‐ＲＳの数を送信してもよい。あるいは、セルは、システム情報ブロック（ＳＩＢ）又は／及びマスター情報ブロック（ＭＩＢ）で複数のＢＦ  ＣＳＩ‐ＲＳを送信する。さらに、ＢＦ  ＣＳＩ‐ＲＳの数は固定値であってもよい。
【００５２】
同一セルのＢＦ  ＣＳＩ‐ＲＳは、グループとしてＵＥに送信されてもよい。あるいは、同じセルの複数のビームをグループ化してもよい。
【００５３】
（ＢＦ  ＣＳＩ‐ＲＳの多重化方法）
次に、ＢＦ  ＣＳＩ‐ＲＳの多重化方法について説明する。多重化は、別の物理チャネル又は信号との衝突を回避するために、又はレガシーＵＥへの影響を回避するために、既存のＣＳＩ‐ＲＳのものと同じリソースエレメント（ＲＥ）を使用してなされてもよい。あるいは、新しいリソースエレメントを多重化してもよい。
【００５４】
ＢＦ  ＣＳＩ‐ＲＳの多重化方法には、アンテナポート（ＡＰ）を使用してもよい。これには、異なるＡＰには異なるビームを適用し、複数のＲＳＲＰを測定する方法が含まれる。例えば、ＡＰ１５だけでなく、ＡＰ１６〜２２の一部又は全部を含むＡＰを使用して、複数のＲＳＲＰを測定してもよい。さらに、これには、ＣＳＩ‐ＲＳＲＰを測定するＡＰをシグナリングする方法も含まれる。この場合、シグナリング情報は、各ＡＰを示すビットマップ形式であってもよいし、測定対象のＡＰの数を示す形式であってもよい。さらに、リリース１３以降のリリースの標準規格で規定されているＡＰを使用してもよい。この場合、複数のＲＳＲＰの測定は、所定のＡＰの一部又は全部を使用して実行される。
【００５５】
ＢＦ  ＣＳＩ‐ＲＳの多重化方法は、時分割多重（ＴＤＭ）を使用してもよい。この場合、この方法は、例えば異なるサブフレーム又は異なるシンボルに異なるビームを適用する方法を含む。言い換えれば、ＴＤＭによって多重化された情報がＵＥにシグナリングされてもよい。この場合、シグナリング情報は、時間繰り返し周期（ｔｉｍｅ  ｒｅｐｔｉｔｉｏｎ  ｃｙｃｌｅ）及び時間オフセットのいずれか一方又は両方を含んでもよい。
【００５６】
ＢＦ  ＣＳＩ‐ＲＳ多重化方法は、周波数分割多重（ＦＤＭ）を使用することができる。この場合、この方法は、例えば、異なるリソースブロック（ＲＢ）で異なるビームを適用する方法を含む。換言すれば、ＦＤＭによって多重化された情報はＵＥにシグナリングされてもよい。この場合、シグナリング情報は、周波数繰り返し周期（ｆｒｅｑｕｅｎｃｙ  ｒｅｐｔｉｔｉｏｎ  ｃｙｃｌｅ）及び周波数オフセットのいずれか一方又は両方を含んでもよい。ビームは、複数の連続した周波数スロットを使用することによって、サブバンドの単位で切り替えることができる。例えば、サブバンドのサイズ及びサブバンドの数がシグナリングされてもよい。
【００５７】
ここで、上記のシグナリングは、シグナリングオーバーヘッドを低減するために、（例えば、当業者によって理解されるような典型的な階層化プロトコルアーキテクチャの）上位レイヤを介して実行されてもよい。あるいは、シグナリングは、下位層を介して動的に実行されてもよい。
【００５８】
多重化は、ＡＰ、ＴＤＭ、及びＦＤＭを使用する前述の多重化方法のうちの２つ以上の組み合わせによって実施されてもよい。
【００５９】
さらに、受信品質測定（例えば、ＲＳＲＰ測定）のための一つ又は複数のビームフォーミングされたＣＳＩ‐ＲＳを含むビームフォーミングされたＣＳＩ‐ＲＳリストが送信されてもよい。この場合、リストは、セルごとに索引付けされてもよい。このリストでは、ＵＥは、規格で定義されたＣＳＩ‐ＲＳ構成のすべて又は一部を自律的に探索することができる。ビームフォーミングされたＣＳＩ‐ＲＳリストには、異なるセルのビームフォーミングされたＣＳＩ‐ＲＳが含まれてもよい。ビームフォーミングされたＣＳＩ‐ＲＳリストは、その中にセルインデックスを含んでもよい。これを用いることで、ビーム切り替えがハンドオーバを伴うか否かを判断することができる。さらに、ビームフォーミングされたＣＳＩ‐ＲＳリストには、コロケーション（ｃｏ−ｌｏｃａｔｉｏｎ）情報が含まれてもよい。複数のセルからのビーム選択の場合、ビームフォーミングされたＣＳＩ‐ＲＳは、コロケーション情報に基づいて同期される。別の場合では、ビームフォーミングされたＣＳＩ‐ＲＳリストは、例えば平均化を考慮した、いくつかの最高のＣＳＩ‐ＲＳのみを含んでもよい。あるいは、ビームフォーミングされたＣＳＩ‐ＲＳリストは、所定のＲＳＲＰを超えるＣＳＩ‐ＲＳのみを含んでもよい。これにより、ＣＳＩオーバーヘッドを削減できる。
【００６０】
ＲＳＲＰ測定のためのＣＳＩ‐ＲＳは、ＣＳＩ測定、すなわちビーム選択、ＲＩ／ＰＭＩ／ＣＱＩ等の計算に使用することもできる。あるいは、ＣＳＩ‐ＲＳはＲＳＲＰ測定専用に使用されてもよい。
【００６１】
ＣＳＩ‐ＲＳ測定は、時間同期及び周波数同期を含むＵＥの同期の目的で使用することもできる。
【００６２】
セル選択は、最も高いＲＳＲＰを達成するビームフォーミングされたＣＳＩ‐ＲＳに基づいて行われてもよい。例えば、セルの決定は、平均化を考慮した、いくつかの最高のＣＳＩ‐ＲＳを考慮して行われてもよい。あるいは、所定のＲＳＲＰを超えるＣＳＩ‐ＲＳの数が最も多いセルを選択することも可能である。セル選択は、既存のＣＲＳベースのセル選択と組み合わせることができる。この場合、セル選択は第１段階でＣＲＳに基づいて行われ、第２段階でビームフォーミングされたＣＳＩ‐ＲＳに基づいて行われてもよい。あるいは、セル選択は、第１段階のビームフォーミングされたＣＳＩ‐ＲＳに基づいて行われ、第２段階のＣＲＳに基づいて行われてもよい。
【００６３】
次に、ビームフォーミングされたＣＲＳ（ＢＦ  ＣＲＳ）に基づいてセル選択（ビーム選択）を行う場合について説明する。
【００６４】
（ＢＦ  ＣＲＳの数）
一つのセルが一つのＢＦ  ＣＲＳを送信する場合（一つのセルが複数のＢＦ  ＣＲＳを送信するシステムと組み合わせたシステムにも適用される）は、例えば、ＢＦ  ＣＲＳがデータ信号に適用される複数のビームをカバーするようにＢＦ  ＣＲＳを形成する方法を含む。
【００６５】
あるいは、一つのセルが複数のＢＦ  ＣＲＳを送信する場合には、例えば、データ信号に適用される複数のビームと同じ（又は類似の）ビームを適用する方法がある。データ信号に適用可能なビームの数とＢＦ  ＣＲＳに適用されるビームの数とは、互いに異なっていてもよい。例えば、ＲＳオーバーヘッドを低減する等のために、ＢＦ  ＣＲＳのビーム数を減らしてもよい。
【００６６】
（ＢＦ  ＣＲＳ多重化方式）
次に、ＢＦ  ＣＲＳ多重方式について説明する。多重化は、別の物理チャネル又は信号との衝突を避けるために、又はレガシーＵＥへの影響を避けるために、既存のＣＳＩ‐ＲＳのものと同じＲＥを使用することによって行われてもよい。
【００６７】
ＢＦ  ＣＲＳ多重化方法は、ＡＰを使用してもよい。既存のＲＳＲＰ測定では、ＵＥの実装に依存するＣＲＳ  ＡＰ０又はＡＰ１が適用される。別の可能な方法では、ＢＦ  ＣＲＳがＡＰ１〜３を使用して送信されてもよい。これは、ＲＳＲＰが測定されるべきＡＰをシグナリングする方法を含む。異なるビームが異なるＡＰに適用され、複数のＲＳＲＰが測定される。ここで、ＡＰ２及びＡＰ３の挿入密度はＡＰ０及びＡＰ１の半分である。このため、ＡＰ２、ＡＰ３を用いて１つのＲＳＲＰを測定することが好ましい。なお、既存の規格では、ＣＲＳ  ＡＰとして（１，２，４）しか使用できない。したがって、ＣＲＳ  ＡＰとしてＡＰ（３）を可能にすることは、ＲＳオーバーヘッドの低減及びレガシーＵＥへの影響の低減を可能にする。
【００６８】
ＢＦ  ＣＲＳ多重化方法には、ＴＤＭを使用してもよい。この場合この方法は、例えば、異なるサブフレームに異なるビームを適用する方法を含む。言い換えれば、ＴＤＭによって多重化された情報がＵＥにシグナリングされてもよい。この場合、シグナリング情報は、時間繰り返し周期及び時間オフセットのいずれか一方又は両方を含んでもよい。
【００６９】
ＢＦ  ＣＲＳ多重化方法は、ＦＤＭを使用してもよい。この場合この方法は、例えば異なるＲＢに異なるビームを適用する方法を含む。言い換えれば、ＦＤＭによって多重化された情報がＵＥにシグナリングされてもよい。この場合、シグナリング情報は、周波数繰り返し周期及び周波数オフセットのいずれか一方又は両方を含んでもよい。ビームは、（複数の連続する周波数スロットを使用することによって）サブバンドの単位で切り替えてもよい。例えば、サブバンドのサイズ及びサブバンドの数がシグナリングされてもよい。
【００７０】
ここで、上記シグナリングは、シグナリングオーバーヘッドを低減するために上位レイヤを介して実行されてもよい。あるいは、シグナリングは、下位レイヤを介して動的に実行されてもよい。
【００７１】
さらに、同じサブフレーム内の異なるＲＥ位置に存在するＣＲＳに異なるビームを適用することができる。
【００７２】
既存のＣＲＳは全てのサブフレーム及び全ての周波数位置で多重化されるが、ＲＳＲＰ測定のためのＣＲＳは場合によっては挿入密度を下げて挿入してもよい。言い換えると、ＣＲＳは、時間リソース又は周波数リソースのうちのいくつかにおいてのみ多重化されてもよい。
【００７３】
多重化は、ＡＰ、ＴＤＭ及びＦＤＭを使用する前述の多重化方法のうちの２つ以上の組み合わせによって実施されてもよい。
【００７４】
次に、ハンドオーバ制御部２２２について説明する。ハンドオーバ制御部２２２は、フィードバック制御情報復調部２３１によって復調されたフィードバック制御情報を受信する。ハンドオーバ制御部２２２は、この制御情報に基づいてハンドオーバを制御し、制御信号生成部２１８に指示をする。制御信号生成部２１８は、ハンドオーバシーケンスに必要な信号を生成し、その信号をＭＵＸ２１５に伝送する。ここで、ハンドオーバが必要な場合とは、最適なビームに切り替えるために他のセルに切り替える必要がある場合であり、例えば図６の例では、ビームａ１をビームｂ１に切り替える場合である。一方、ハンドオーバを必要としない場合とは、最適なビームに切り替えるために他のセルに切り替える必要がない場合であり、例えば図６の例では、ビームａ１をビームａ２に切り替える場合である。
【００７５】
（ハンドオーバシーケンス）
複数のセルを備えた移動通信システムにおいて、ＵＥ（ユーザ装置）は、あるセルから別のセルへ移動する際に、セル切り替えにより通信を継続するように構成されている。このようなセルスイッチングは、セル再選択とハンドオーバとを伴う。隣接セルからの信号の受信電力又は受信品質がサービングセルからの信号の受信電力又は受信品質よりも高くなると、ＵＥはセル再選択又は隣接セルへのハンドオーバを実行する。
【００７６】
図５はハンドオーバを説明するためのシーケンス図である。まず、ＵＥは、ソースｅＮＢ（Ｓ‐ｅＮＢ）をハンドオーバするためにＭＲを送信する。ＭＲを受信したＳ‐ｅＮＢは、ハンドオーバするためのＨＯリクエストをターゲットｅＮＢ（Ｔ‐ｅＮＢ）に送信する。ＨＯリクエストを受信したＴ‐ｅＮＢは、ハンドオーバすることが予想されるＵＥのリソースの予約、データ転送のためのリソースの予約、ＳＲＢ１のＭＡＣスケジューラの新規割り当ての開始などの処理を行う。その後、上記の処理が完了すると、Ｔ‐ｅＮＢはＳ‐ｅＮＢにハンドオーバリクエストＡＣＫ（Ｈａｎｄｏｖｅｒ  Ｒｅｑｕｅｓｔ  ＡＣＫ）を返す。ハンドオーバリクエストＡＣＫを受信したＳ‐ｅＮＢは、ＲＲＣ接続再設定（ＲＲＣ  Ｃｏｎｎｅｃｔｉｏｎ  Ｒｅｃｏｎｆｉｇｕｒａｔｉｏｎ）の信号をＵＥに送信する。そして、Ｓ‐ｅＮＢは、Ｃプレーンのリソースを用いて、ハンドオーバ先の無線基地局であるＴ‐ｅＮＢへの不連続な上りリンクデータの転送状況をＴ‐ｅＮＢに通知する（例えば、ＳＮ  Ｓｔａｔｕｓ転送信号を使って）。ＲＲＣ接続再設定の準備が完了すると、ＵＥはＲＲＣ接続再設定完了信号をＴ‐ｅＮＢに送信する。Ｔ‐ｅＮＢは、ＵＥが接続されているセルが変更されると、パス切替リクエストをモビリティ管理エンティティ（ＭＭＥ）に送信し、ＭＭＥはＴ‐ｅＮＢにＡＣＫを返す。これらが完了すると、Ｔ‐ｅＮＢは、コンテキスト解放信号（ＵＥコンテキスト解放信号、ＵＥ  ｃｏｎｔｅｘｔ  ｒｅｌｅａｓｅ  ｓｉｇｎａｌ）をＳ‐ｅＮＢに送信する。
【００７７】
セル再選択は、アイドル状態にあるＵＥがサービングセルから隣接セルに移行する処理である。ハンドオーバは、通信を行っているＵＥが、あるセル（例えばサービングセル）から別のセル（例えば隣接セル）に移行する処理である。
【００７８】
リリース１３で標準化されることが議論されている３Ｄ  ＭＩＭＯでは、３Ｄビームの形態を考慮したセル選択が必要である。
【００７９】
上述の実施形態によれば、ビームフォーミングされたＣＳＩ‐ＲＳに基づいてセル選択を行うことが可能であり、それは３Ｄ  ＭＩＭＯにおけるセル選択に有効な技術である。また、セルスイッチングリクエスト信号として使用されるメジャメントレポートトリガがビームフォーミングされたＣＳＩ‐ＲＳに拡張される。従って、ビームフォーミングされたＣＳＩ‐ＲＳを用いて適切なセル選択が実行可能である。
【００８０】
上述の実施形態によれば、仮想化されたＣＲＳ又はビームフォーミングされたＣＳＩ‐ＲＳを使用することによって、３Ｄ  ＭＩＭＯのハンドオーバを実行することが可能である。さらに、１つ又は複数の実施形態で、３Ｄ  ＭＩＭＯの参照信号送信方法及びハンドオーバトリガイベントを特定することができる。なお、１つ以上の実施形態は、ハンドオーバ（ＥＣＭ‐ＣＯＮＮＥＣＴＥＤ状態のセル切り替え）及びセル再選択（ＲＲＣ＿ＩＤＬＥ状態のセル切り替え）の両方に適用できる。
【００８１】
参照信号は特に限定されない。ＣＳＩ‐ＲＳに加えて、ＣＲＳ（セル固有参照信号）、ＤＭ‐ＲＳ（復調用参照信号）、及び新たに定義されるＲＳを参照信号として用いることができる。
【００８２】
構成情報は、参照信号の多重化された時間又は周波数位置、参照信号の送信周期、アンテナ素子、及び参照信号の送信シーケンスを含む制御情報であってもよい。
【００８３】
本発明は、ＣＳＩ‐ＲＳ又はＣＲＳに限定されず、他の参照信号にも適用することができる。例えば、本発明は、メジャメントのための参照信号、モビリティのための参照信号、又はビーム管理のための参照信号に適用することができる。メジャメントのための参照信号及びモビリティのための参照信号は、それぞれ、メジャメントＲＳ（ＭＲＳ）、モビリティＲＳ（ＭＲＳ）と呼ばれる。ビーム管理のための参照信号は、ビームＲＳ（ＢＲＳ）と呼ばれる。
【００８４】
参照信号がビームフォーミングされているか否かは、規格において明白である。ビーム選択（セル選択）は、ビーム選択だけでなく、ＲＳリソース選択、セル選択、ポート選択を含む。同期信号及び／又は参照信号は、ビームフォーミングされていなくてもよい。
【００８５】
各セルと、サポートされる参照信号又はビームの数との間の差は、ｅＮＢにとって明白である。例えば、４つのセルの各々が１０個の参照信号又はビームを送信する場合、ｅＮＢは、１〜４０個の参照信号又はビームが利用可能であることを示す通知によって、明白に通知されてもよい。
【００８６】
上述した１つ又は複数の実施形態は、アイドルモード及び接続モードのうちの少なくとも１つに適用することができる。
【００８７】
上記で説明した１つ以上の実施形態は、セル接続、再選択、ハンドオーバ、ビーム管理、及びＣＳＩ推定のうちの少なくとも１つに適用することができる。
【００８８】
以上、本発明の様々な実施形態について説明したが、これらの実施形態は単なる例示であって限定的なものではないことを理解されたい。本発明の趣旨又は範囲から逸脱することなく、開示された実施形態に対する多数の変更を本明細書の開示に従って行うことができる。従って、本発明の範囲は、上記の実施形態のいずれかによって限定されるべきではない。むしろ、本発明の範囲は、以下の特許請求の範囲及びその均等物に従って定義されるべきである。
【図１】
0006725650.tif 000002
【図２】
0006725650.tif 000003
【図３】
0006725650.tif 000004
【図４】
0006725650.tif 000005
【図５】
0006725650.tif 000006
【図６】
0006725650.tif 000007